(57)【要約】      （修正有）【課題】容易に洗浄することができるペットを運搬するペット用バッグを提供する。【解決手段】ペットを運搬するバッグ１であり、袋状のバッグ本体１００と、バッグ本体内に収納される中袋２００と、バッグ本体１００の側部に形成された外側開口部１２０と、中袋２００の側部における外側開口部１２０に対応する箇所に形成された内側開口部２２０と、バッグ本体１００内に収納された状態の中袋２００を、バッグ本体１００に連結する連結部とを備える。【選択図】図５
0003163474.tif 000002
【実用新案登録請求の範囲】
【請求項１】
ペットを運搬するバッグであり、
袋状のバッグ本体と、
前記バッグ本体内に収納される中袋と、
前記バッグ本体の側部に形成された外側開口部と、
前記中袋の側部における前記外側開口部に対応する箇所に形成された内側開口部と、
前記バッグ本体内に収納された状態の前記中袋を、該バッグ本体に連結する連結部と
を備えることを特徴とするペット用バッグ。
【請求項２】
前記内側開口部には、網状のネット部材が張られており、
前記外側開口部には、前記内側開口部を覆うように、開閉する開閉幕が取り付けられていることを特徴とする請求項１に記載のペット用バッグ。
【請求項３】
前記開閉幕には、前記内側開口部に対応する位置に空気孔が形成され、
前記外側開口部周縁には、前記開閉幕の開放状態を維持する係止部が設けられている
ことを特徴とする請求項１又は２に記載のペット用バッグ。
【請求項４】
前記バッグ本体の上部には、前記中袋を出し入れする上部開口部が形成され、
前記上部開口部には、ファスナーを境界として一対の蓋体に分離されることにより開閉する開閉部が備えられ、
前記蓋体は、分離された状態においてそれぞれが折り曲げられた状態を維持する固定部を有する
ことを特徴とする請求項１乃至３のいずれかに記載のペット用バッグ。
【請求項５】
前記中袋の上部には、ペットを出し入れする内部開口部を有し、
前記内部開口部において、前記上部開口部に対応する位置には、該内部開口部を塞ぐ、内部蓋体が設けられている
ことを特徴とする請求項４に記載のペット用バッグ。
【請求項６】
前記バッグ本体の一側面に開口された空気穴と、
前記中袋の側部において、前記空気穴に対応する箇所に形成された開口部に、通気性のある多孔性素材が張られて設けられた内側通気部と、
前記中袋の側部において、前記内側通気部が設けられた側面以外の側面に配置され、該中袋の外面と前記バック本体内面とにより挟持される冷却剤又は発熱剤と
をさらに備えることを特徴とする請求項１乃至５のいずれかに記載のペット用バッグ。
【考案の詳細な説明】
【技術分野】
【０００１】
本考案は、ペットを運搬するためのペット用バッグに関する。
【背景技術】
【０００２】
近年、犬や猫などのペットを飼育する飼い主が増えており、それに伴って、ペットとともに旅行や買い物などに出かける際には、ペットを持ち運ぶためのペット用キャリーバッグが用いられている（例えば、特許文献１）。この特許文献１に開示された技術では、犬を収容するバッグを、ウエストポーチ式に腰に装着して使用する場合と、手提げで使用する場合の２通りの方法で使用可能とすることができるものである。
【先行技術文献】
【特許文献】
【０００３】
【特許文献１】実用新案登録第３０９５８９６号公報
【考案の概要】
【考案が解決しようとする課題】
【０００４】
しかしながら、特許文献１に開示されたペット用キャリーバッグは、バッグ全体が一体となっているため、バッグ内部が汚れた場合、内部を洗浄することが煩雑であるという問題があった。特に、ペット用キャリーバッグは、内部に犬や猫などの生き物を収容するため、内部が汚れやすく、頻繁に洗浄する必要がある。
【０００５】
そこで、本考案は以上の点に鑑みてなされたもので、容易に洗浄することができるペットを運搬するバッグに関する。
【課題を解決するための手段】
【０００６】
上記課題を解決するために、本考案は、ペットを運搬するバッグであり、袋状のバッグ本体と、バッグ本体内に収納される中袋と、バッグ本体の側部に形成された外側開口部と、中袋の側部における開口部に対応する箇所に形成された内側開口部と、バッグ本体内に収納された状態の中袋を、該バッグ本体に連結する連結部とを備える。
【０００７】
このような考案によれば、バッグ本体に連結可能な中袋を有しているので、ペットを中袋に収納したことで、中袋が汚れてしまった場合であっても、中袋を取出して洗浄することができるので、洗浄が容易になる。
【０００８】
また、本考案によれば、バッグ本体の側面と、中袋の側面とに開口部を有しているので、ペットを収納した際、その開口部から収納されたペットを確認できるとともに、バッグ内部の換気を容易にすることができ、ペットの安全性を確保できる。
【０００９】
上記考案において、内側開口部には、網状のネット部材が張られており、外側開口部には、内側開口部を覆うように、開閉する開閉幕が取り付けられていることが好ましい。この場合には、中袋の内側開口部には、ネット部材が張られているので、ペットがバッグの外部に飛び出すことを防止することができる。また、バッグ本体に備えられた外側開口部の開閉幕を閉めることで、ペットを外部から遮断することができる。
【００１０】
また、上記考案において、開閉幕には、内側開口部に対応する位置に空気孔が形成され、外側開口部周縁には、開閉幕の開放状態を維持する係止部が設けられていることが好ましい。この場合には、開閉幕を閉じた状態であっても、バッグ内部の換気を行うことができ、ペットの安全性を確保できる。また、開閉幕には、係止部を備えるので、開閉幕を開いた状態を維持して、バッグ内部の換気を容易に行うことができるので、ペットの安全性を確保できる。
【００１１】
さらに、上記考案において、バッグ本体の上部には、中袋を出し入れする上部開口部が形成され、上部開口部には、ファスナーを境界として一対の蓋体に分離されることにより開閉する開閉部が備えられ、蓋体は、分離された状態においてそれぞれが折り曲げられた状態を維持する固定部を有することが好ましい。この場合には、分離された一対の蓋体のそれぞれを折り曲げて、その状態を維持することで、上部開口部の開口状態を維持することができ、ペットを傷付けることなく、ペットの出し入れをすることができるとともに、上部開口部を開放させたまま、ペットを収納して持ち運ぶことが容易となる。
【００１２】
上記考案において、中袋の上部には、ペットを出し入れする内部開口部を有し、内部開口部において、上部開口部に対応する位置には、内部開口部を塞ぐ、内部蓋体が設けられていることが好ましい。この場合には、バッグ本体の上部開口部が開いている場合であっても、内部蓋体を閉めることで、ペットがバッグの外部に飛び出すことを防止することができる。
【００１３】
また、上記考案では、バッグ本体の一側面に開口された空気穴と、中袋の側部において、空気穴に対応する箇所に形成された開口部に、通気性のある多孔性素材が張られて設けられた内側通気部と、中袋の側部において、内側通気部が設けられた側面以外の側面に配置され、中袋の外面とバック本体内面とにより挟持される冷却剤又は発熱剤とをさらに備えることが好ましい。この場合には、空気穴に対応する箇所に内側通気部が設けられていることにより、バック内部へ外気が入り易くなり、バック内部の換気を行うことができる。
【００１４】
また、本考案は、中袋の外面とバック本体内面とに挟持される保冷剤又は発熱剤を有しているので、保冷剤又は発熱剤の熱を中袋の内側に伝達させることができ、ペットを収納する空間の温度を調整することができる。特に、本考案では、内側通気部及び空気穴が設けられた側面と反対方向の側面に温度調節剤を配置させているので、温度調節剤による冷気又は暖気が、空気穴を通じて直ぐに外部に漏れるのを防止できるとともに、空気穴と内部通気部を通じてバックの内外で交換される空気の流れに誘引されて、温度調節剤によって冷却又は加熱された冷気・暖気が、バック本体と中袋との間隙で循環し、冷気又は暖気の熱が中袋全体に対流伝熱されることとなり、中袋及びバック内部を効率よく冷却又は加熱させることができる。
【００１５】
さらに、本考案では、冷却剤又は発熱剤は、内側通気部が設けられた側面以外の側面に配置されているので、ペットが直接、冷却剤又は発熱剤に触れることを防止し、ペットの安全性を確保することもできる。
【考案の効果】
【００１６】
以上述べたように、この考案によれば、バッグ本体に着脱可能に取り付けられた中袋を有し、容易に洗浄することができる。
【図面の簡単な説明】
【００１７】
【図１】実施形態に係るペットを運搬するバッグ本体の全体構成を示す斜視図である。
【図２】実施形態に係るペットを運搬するバッグ本体の全体構成を示す斜視図である。
【図３】実施形態に係る外側開口部に設けられた開閉幕の開閉状態を示す説明図である。
【図４】実施形態に係る蓋体を固定する状態を示す説明図である。
【図５】実施形態に係るバッグ本体と、バッグ本体に収納される中袋とを示す斜視図である。
【図６】実施形態に係るバッグ本体と中袋の底部分を示す説明図である。
【図７】実施形態に係るバック本体の通気孔と中袋の開口部との位置関係を示す説明図である。
【考案を実施するための形態】
【００１８】
以下に添付図面を参照して、本考案に係るペットを運搬するペット用バッグの実施形態を詳細に説明する。図１及び図２は、本実施形態に係るペットを運搬するペット用バッグの全体構成を示す斜視図であり、図３は、本実施形態に係る外側開口部に設けられた開閉幕の開閉状態を示す説明図であり、図４は、本実施形態に係る蓋体を固定する状態を示す説明図である。
【００１９】
ペット用バッグ１は、ペットを収納して運搬するためのバッグであり、袋状のバッグ本体１００と、バッグ本体１００内に収納される中袋２００とから構成されている。
【００２０】
バッグ本体１００は、布、皮革、合成樹脂性シート等の素材で略長方体状に形成されている。このバッグ本体１００は、図１に示すように、バッグ本体１００の前面及び後面の上方に把手部１４０が取り付けられており、また、バッグ本体１００の上部には上部開口部１３０が設けられ、バッグ本体１００の側部には外側開口部１２０が設けられている。
【００２１】
把手部１４０は、バッグ本体１００を持ち運ぶための取手部分であり、一対の把手部１４０ａ，１４０ｂから構成されている。この一対の把手部１４０ａ，１４０ｂは、バッグ本体１００の両側面にそれぞれ設けられ、ユーザーの手によって掴むことや、肩に掛けて持ち運ぶことができるように所定の長さを有している。また、一方の把手部１４０ａの上部には、一対の把手部１４０ａ，１４０ｂを纏めるための留め具１４１が設けられている。
【００２２】
外側開口部１２０は、図２に示すように、バッグ本体１００の一方の側部に形成された開口部分であり、図３（ａ）に示すように、外側開口部１２０部分に、綱上のネット部材１２４が張られており、このネット部材１２４を覆うように、開閉する開閉幕１２１が取り付けられている。
【００２３】
開閉幕１２１は、上端部がバッグ本体１００に連接し、外側開口部１２０のネット部材１２４を覆うように上端部から垂下される構成となっており、この開閉幕１２１の下端部を捲り上げることで、ネット部材１２４を通して、バッグ本体１００に収納されたペットを覗き込むことができるようになっている。また、開閉幕１２１には、外側開口部１２０に対応する位置にバッグの内部との空気を入れ換えるための空気孔１２１ａが形成されている。
【００２４】
さらに、開閉幕１２１には、開閉幕１２１の開放状態を維持する係止部１２３が外側開口部１２０周縁に設けられている。具体的には、開閉幕１２１の上部に配置された係止部１２３ａと、外側開口部１２０と開閉幕１２１との間に形成されたベルト部１２３ｃとから構成されており、例えば、図３（ｂ）に示すように、開閉幕１２１を丸めながら収納して係止部１２３ａと、ベルト部１２３ｃに設けられた係止部１２３ｂとを係合することで開閉幕１２１を束ねた状態を維持し、外側開口部１２０を開放させるようになっている。
【００２５】
また、開閉幕１２１は、開閉幕１２１が垂下した状態を固定する一対の接着部１２５が備えられている。本実施形態において、この一対の接着部１２５は、外側開口部１２０の外側に備えられたマジックテープ（登録商標）１２５ａと、開閉幕１２１の内側に備えられたマジックテープ１２５ｂとで構成され、この一対のマジックテープ１２５ａ，１２５ｂとを接着させることで、開閉幕１２１の垂れ下がった状態を固定させている。なお、本実施形態において、接着部１２５は、マジックテープとしたが、本考案は、これに限定するものではなく、例えば、釦やフック等の着脱可能な接着手段としてもよい。
【００２６】
上部開口部１３０は、中袋２００を出し入れする開口部分であり、上部開口部１３０を開閉する開閉部１３１が備えられている。開閉部１３１は、バッグ本体１００の幅方向の略中央部分において、バッグ本体１００の長手方向に沿って形成されたファスナー１３３を境界として一対の蓋体１３１ａ，１３１ｂに分離されている。そして、この一対の蓋体１３１ａ，１３１ｂのそれぞれは、一方の端部がバッグ本体１００と連接された構成となっており、スライダー１３５をスライド移動させることによって、一対の蓋体１３１ａ，１３１ｂが分離、又は接続し、これにより、上部開口部１３０を開閉自在としている。
【００２７】
また、一対の蓋体１３１ａ，１３１ｂの内面には、蓋体１３１ａ，１３１ｂが折り曲げられた状態を維持する固定部１３２を有している。具体的に、固定部１３２は、図４に示すように、蓋体１３１ａ，１３１ｂの該中央部分Ｐを挟んで一対の固定部１３２ａ，１３２ｂによって構成されており、一対の固定部１３２ａ，１３２ｂを係合させることで蓋体１３１ａ，１３１ｂが折り曲げられた状態を維持するようになっている。
【００２８】
さらに、図２及び図３に示すように、バッグ本体１００における長手方向の一側面には、空気穴１１０が複数設けられている。なお、図７に示すように、バッグ本体１００の空気穴１１０が設けられた反対側の側面には、空気穴は設けられておらず、密閉された状態となっている。
【００２９】
次いで、中袋２００と、連結部３００とについて説明する。図５は、本実施形態に係るバッグ本体１００と、バッグ本体に収納される中袋２００とを示す斜視図であり、図６は、本実施形態に係るバッグ本体１００と中袋２００の底部分を示す説明図である。
【００３０】
中袋２００は、布、皮革、合成樹脂性シート等の素材によって略長方体状に形成されている。本実施形態において、中袋２００の側部には、内側開口部２２０が設けられている。内側開口部２２０は、図５に示すように、中袋２００の側部における外側開口部１２０に対応する箇所に形成された開口部分であり、この内側開口部２２０には、網状のネット部材２２１が張られている。
【００３１】
中袋２００の上部には、ペットを出し入れする内部開口部２３０を有している。この内部開口部２３０には、上部開口部１３０に対応する位置において、内部開口部２３０を塞ぐ、網状のネット部材で形成された内部蓋体２３１が設けられている。本実施形態において、この内部蓋体２３１は、その一辺が内部開口部２３０周縁の一端に連接されており、その他の３辺は、中袋２００の上部周縁に設けられた一対のスライドファスナー２３２ａ，２３２ｂが移動することで、分離、又は接続可能となっている。そして、本実施形態では、この一対のスライドファスナー２３２ａ，２３２ｂを移動させることで、内部蓋体２３１の開閉状態を調整可能となっている。
【００３２】
また、中袋２００の側部には、図５に示すように、空気穴１１０に対応する箇所に形成された側部開口部２４０を有しており、この側部開口部２４０には、通気性のある多孔性素材であるネットが張られた内側通気部２４１が設けられている。また、本実施形態では、図７（ａ）及び（ｂ）に示すように、中袋２００の側部において、内側通気部２４１が設けられた側面と反対方向の側面に、中袋２００の外面とバック本体１００の内面とに挟持される温度調節剤４００を有している。この温度調節剤４００は、冷却剤又は発熱剤、冷却作用・発熱作用により周囲や空気を冷却又は加熱する材料である。
【００３３】
さらに、中袋２００には、図６に示すように、ペットを固定するリード２１０を備えている。リード２１０は、所定の長さを有したベルト部材の一端が中袋２００と連接しており、他端部分にペットの首輪部分と連結するフック部２１０ａが備えられている。このフック部２１０ａをペットの首輪のリング等に係止させることで、ペットが中袋２００の内部から飛び出すことを防止するようになっている。
【００３４】
そして、ペット用バッグ１には、バッグ本体１００内に収納された状態の中袋２００を、バッグ本体１００に連結する連結部３００を備えている。本実施形態において、連結部３００は、バックの底部に設けられた下部連結部３０２と、バッグの側面部分に設けられた側面連結部３０１とを有している。
【００３５】
側面連結部３０１は、図５に示すように、中袋２００の外側周縁に設けられた釦部材３０１ｂと、バッグ本体１００の内部周縁に設けられた釦部材３０１ａとから構成されており、これら釦部材３０１ａ，３０１ｂを係止させることで、バッグ本体１００と中袋２００とが連結されるようになっている。
【００３６】
一方、下部連結部３０２は、図６に示すように、中袋２００の外側底面と、バッグ本体１００の内側底面に設けられたマジックテープ３０２ａ，３０２ｂから構成されており、これらマジックテープ３０２ａ，３０２ｂを接着させることで、バッグ本体１００と中袋２００とが連結されるようになっている。
【００３７】
なお、本実施形態において、側面連結部３０１を釦部材とし、下部連結部３０２はマジックテープとしたが、本考案はこれに限定するものではなく、バッグ本体１００と、中袋２００とが着脱可能に連結されればよく、例えば、リング状の部材にフック部材を係合させるような構成としてもよい。
【００３８】
（作用・効果）
このような本実施形態によれば、バッグ本体１００に着脱可能な中袋２００を有しているので、ペットを中袋２００に収納したことで、中袋２００が汚れてしまった場合であっても、中袋２００を取出して洗浄することができ、洗浄が容易になる。
【００３９】
また、本実施形態によれば、バッグ本体１００の側面と、中袋２００の側面とに開口を有しているので、ペットを収納した際、その外側開口部１２０から収納されたペットを確認できるとともに、バッグ１内部の換気を容易にすることができ、ペットの安全性を確保できる。
【００４０】
また、本実施形態では、内側開口部２２０には、網状のネット部材２２１が張られているので、ペットがペット用バッグ１の外部に飛び出すことを防止することができる。
【００４１】
また、外側開口部１２０には、内側開口部２２０を覆うように、開閉する開閉幕１２１が取り付けられているので、バッグ本体に備えられた外側開口部の開閉幕を閉めることで、ペットを外部から遮断することができる。
【００４２】
さらに、本実施形態において、開閉幕１２１には、内側開口部２２０に対応する位置に空気孔１２１ａが形成されているので、開閉幕を閉じた状態であっても、バッグ内部の換気を行うことができ、ペットの安全性を確保できる。また、外側開口部１２０には、開閉幕１２１の開放状態を維持する係止部１２３が設けられているので、バッグ内部の換気を容易にすることができ、ペットの安全性を確保することができる。
【００４３】
また、本実施形態において、蓋体１３１ａ，１３１ｂは、分離された状態においてそれぞれが折り曲げられた状態を維持する固定部１３２を有するので、上部開口部１３０の開口状態を維持することができ、ペットの出し入れを容易にするとともに、上部開口部１３０を開放させたまま、ペットを収納して持ち運ぶことが容易となる。
【００４４】
さらに、本実施形態において、中袋２００の上部には、ペットを出し入れする内部開口部２３０を有し、内部開口部２３０において、上部開口部１３０に対応する位置には、内部開口部２３０を塞ぐ、内部蓋体２３１が設けられているので、バッグ本体１００の上部開口部１３０が開いている場合であっても、内部蓋体２３１を閉めることで、ペットがバッグの外部に飛び出すことを防止することができる。
【００４５】
本実施形態においては、図７（ａ）及び（ｂ）に示すように、空気穴１１０に対応する箇所に、内側通気部２４１が備えられているので、バック内部へ空気が入り易くなり、バック本体内部の換気を行うことができる。さらに、本実施形態では、中袋２００の外面とバック本体１００内面とに挟持される温度調節剤４００を有しているので、温度調節剤４００の熱を中袋２００内部に伝達させ、ペットを収納させる空間の温度を調整することができる。特に、本実施形態では、内側通気部２４１及び空気穴１１０が設けられた側面と反対方向の側面に温度調節剤４００を配置させているので、空気穴１１０を通じて、温度調節剤４００による冷気又は暖気が、直ぐに外部に漏れるのを防止できるとともに、空気穴１１０と内部通気部２４１を通じてバックの内外で交換される空気の流れに誘引されて、温度調節剤４００によって冷却又は加熱された冷気・暖気が、バック本体１００と中袋２００との間隙で循環し、冷気又は暖気の熱が中袋全体に対流伝熱されることとなり、中袋２００及びバック内部を効率よく冷却又は加熱させることができる。
【００４６】
さらに、本実施形態では、温度調節剤４００は、内側通気部２４１が設けられた側面以外の側面に配置されているので、ペットが直接、温度調節剤４００に触れることを防止し、ペットの安全性を確保することができる。
【符号の説明】
【００４７】
Ｐ…該中央部分
１…ペット用バッグ
１００…バッグ本体
１１０…通気孔
１２０…外側開口部
１２１…開閉幕
１２１ａ…空気孔
１２３…係止部
１２３ａ，１２３ｂ…係止部
１２３ｃ…ベルト部
１２４…ネット部材
１２５…接着部
１２５ａ，１２５ｂ…マジックテープ
１３０…上部開口部
１３１…開閉部
１３１ａ，１３１ｂ…蓋体
１３２ａ，１３２ｂ…固定部
１３３…ファスナー
１３５…スライダー
１４０ａ，１４０ｂ…把手部
１４１…留め具
２００…中袋
２１０…リード
２１０ａ…フック部
２２０…内側開口部
２２１…ネット部材
２３０…内部開口部
２３１…内部蓋体
２３２ａ，２３２ｂ…スライドファスナー
２４０…側部開口部
２４１…ネット部材
３００…連結部
３０１…側面連結部
３０１ａ，３０１ｂ…釦部材
３０２…下部連結部
３０２ａ，３０２ｂ…マジックテープ
４００…温度調節剤
【図１】
0003163474.tif 000003
【図２】
0003163474.tif 000004
【図３】
0003163474.tif 000005
【図４】
0003163474.tif 000006
【図５】
0003163474.tif 000007
【図６】
0003163474.tif 000008
【図７】
0003163474.tif 000009